(57)【要約】【課題】装置の構造及び組立作業をそれぞれ簡略化する。【解決手段】防振装置１０では、磁石１２８，１３０がプランジャ部材７８に対して磁気的な反発力を作用させ、この磁気的な反発力によりプランジャ部材７８を開放位置側へ付勢し、プランジャ部材７８が、シェイク振動の入力時には、加圧空間１１２内の液圧により磁石１２８，１３０の磁気的な反発力に抗して閉塞位置に移動してオリフィス開口７６を閉塞させ、アイドル振動の入力時には、磁石１２８，１３０の磁気的な反発力により開放位置へ移動してオリフィス開口７６を開放する。これにより、閉塞位置にあるプランジャ部材７８を開放位置に復帰させるためにコイルスプリング等の付勢部材を装置内で所定の姿勢に保持するための座受部等が必要なくなると共に、付勢部材をシリンダ室６０等の装置内部に組み付ける作業も不要にできる。【選択図】図１
2007120597.tif 000002
【特許請求の範囲】
【請求項１】
振動発生部及び振動受け部の一方に連結される第１の取付部材と、
振動発生部及び振動受け部の他方に連結される第２の取付部材と、
前記第１の取付部材と前記第２の取付部材との間に配置された弾性体と、
前記弾性体を隔壁の一部として液体が封入され、該弾性体の弾性変形に伴って内容積が変化する主液室と、
液体が封入され内容積が拡縮可能とされた副液室と、
前記主液室と前記副液室とを互いに連通する第１の制限通路と、
前記主液室と前記副液室とを互いに連通し、前記第１の制限通路よりも液体の流通抵抗が小さい第２の制限通路と、
前記主液室と前記副液室との間に設けられ、液体が封入されたシリンダ室と、
前記シリンダ室内を、前記第２の制限通路の一部を構成すると共に前記副液室に連通したオリフィス空間と前記第２の制限通路から隔離された液圧空間とに区画し、前記オリフィス空間及び前記液圧空間の拡縮方向に沿って所定の開放位置と閉塞位置との間で移動可能とされプランジャ部材と、
前記オリフィス空間内に面するように設けられ、前記第２の制限通路における該オリフィス空間と他の部分とを連通させるオリフィス開口と、
前記主液室と前記液圧空間との間に配置され、前記主液室内の液圧変化に伴って該主液室と前記液圧空間との間で一方向へのみ液体を流出させ得る逆止弁と、
前記プランジャ部材に対して磁力を作用させ、該磁力により前記プランジャ部材を前記開放位置側へ付勢する磁気付勢手段と、を有し、
前記プランジャ部材が、前記液圧空間内の液圧により前記磁気付勢手段の磁力に抗して前記前記閉塞位置に移動すると、前記オリフィス開口を閉塞させ、前記磁気付勢手段の磁力により前記開放位置へ移動すると、前記オリフィス開口を開放することを特徴とする防振装置。
【請求項２】
前記磁気付勢手段は、前記プランジャ部材に対して磁力を反発力として作用させて該プランジャ部材を前記開放位置側へ付勢することを特徴とする請求項１記載の防振装置。
【請求項３】
前記磁気付勢手段は、前記プランジャ部材に対して磁力を吸着力として作用させて該プランジャ部材を前記開放位置側へ付勢することを特徴とする請求項１記載の防振装置。
【請求項４】
前記磁気付勢手段は、前記プランジャ部材及び前記シリンダ室と前記副液室とを区画する隔壁部の一方に配置された磁石部材と、前記プランジャ部材及び前記隔壁部の他方における少なくとも前記磁石部材と対向する領域に設けられ、強磁性体により形成された被吸着部と、を有することを特徴とする請求項３の防振装置。
【請求項５】
前記磁気付勢手段は、前記プランジャ部材が前記開放位置にある状態で、前記磁石部材と前記被吸着部との間に前記拡縮方向に沿って所定幅の空隙を形成し、該空激により前記磁石部材と前記被吸着部との間に生じる最大吸着力を調整することを特徴とする請求項４記載の防振装置。
【請求項６】
前記磁気付勢手段は、前記プランジャ部材に配置された第１の磁石部材と、前記シリンダ室と前記副液室とを区画する隔壁部に、前記拡縮方向に沿った前記第１の磁石部材と対向するように配置された第２の磁石部材と、を有することを特徴とする請求項１乃至３の何れか１項防振装置。
【発明の詳細な説明】
【技術分野】
【０００１】
本発明は、振動を発生する部材からの振動の伝達を防止する流体封入式の防振装置に係り、特に、自動車のエンジンマウント等に好適に用いられる防振装置に関する。
【背景技術】
【０００２】
例えば、乗用車等の車両では、振動発生部となるエンジンと振動受け部となる車体との間にエンジンマウントとしての防振装置が配設されており、この防振装置がエンジンから発生する振動を吸収し、車体側に伝達されるのを阻止するような構造となっている。この種の防振装置としては、幅広い周波数の振動に対応すべく、主液室及び副液室と、これらの液室をそれぞれ連通する複数本のオリフィスが設けられ、入力振動の周波数に応じて、複数本のオリフィスのうち１本のオリフィスにより主液室と副液室とが連通するように、電磁ソレノイド等により駆動されるバルブ機構により複数本のオリフィスを選択的に開閉するものが知られている。
【０００３】
つまり、この防振装置には、オリフィスの開閉状態を制御し、複数のオリフィス間で液体の通路を切り替える為の電気的な電磁ソレノイド等が必要なだけでなく、これら電磁ソレノイド等を入力振動の周波数等に基づいて動作させ、オリフィスを切り替えさせるコントローラが構造上、必要であった。しかし、これらの電磁ソレノイド及びコントローラは、比較的高価なものであり、またこれらの部品は防振装置の構造を著しく複雑化すると共に、車両への取付作業を煩雑なものにする要因となっていた。
【０００４】
上記のような問題に鑑み、本出願の発明者等は、特許文献１において、主液室と副液室がシェイクオリフィス及びアイドルオリフィスによりそれぞれ連通されると共に、アイドルオリフィスの一部を形成すると共に副液室に連通したシリンダ空間内に配置されたプランジャ部材が、シェイク振動の入力時には主液室の液圧によりアイドルオリフィスを閉塞する閉塞位置へ移動し、アイドル振動の入力時にはプランジャ部材をコイルスプリングの付勢力によりアイドルオリフィスを開放する開放位置へ移動させる防振装置を開示している。
【特許文献１】国際公開ＷＯ２００４／０８１４０８号
【発明の開示】
【発明が解決しようとする課題】
【０００５】
しかしながら、特許文献１記載の防振装置では、シリンダ室の内部にプランジャ部材を開放位置へ付勢する付勢部材としてコイルスプリングを圧縮状態として配置する必要がある。このため、特許文献１のような防振装置では、シリンダ室における副液室側の内壁部及びプランジャ部材にそれぞれコイルスプリングの座巻部と係合する座受部を設ける必要がある。
【０００６】
従って、特許文献１のような防振装置では、コイルスプリングが必要となると共に、副液室側の内壁部及びプランジャ部材にそれぞれ座受部を設ける必要があるため、装置の構成部品の形状が複雑になる。また装置組立時には、シリンダ室内にプランジャ部材を挿入しつつ、シリンダ室の内壁部とプランジャ部材との間にコイルスプリングを介装し、シリンダ室の主液室側の端面（開口端）が蓋部材等により閉止されるまで、コイルスプリングを一対の座受部の間で圧縮状態に保持しなければならならず、装置の組立作業（アセンブリ作業）が煩雑になるという問題も生じる。
【０００７】
本発明の目的は、上記事実を考慮して、装置の構造及び組立作業をそれぞれ簡略化できる防振装置を提供することにある。
【課題を解決するための手段】
【０００８】
上記の目的を達成するため、本発明の請求項１に係る防振装置は、振動発生部及び振動受け部の一方に連結される第１の取付部材と、振動発生部及び振動受け部の他方に連結される第２の取付部材と、前記第１の取付部材と前記第２の取付部材との間に配置された弾性体と、前記弾性体を隔壁の一部として液体が封入され、該弾性体の弾性変形に伴って内容積が変化する主液室と、液体が封入され内容積が拡縮可能とされた副液室と、前記主液室と前記副液室とを互いに連通する第１の制限通路と、前記主液室と前記副液室とを互いに連通し、前記第１の制限通路よりも液体の流通抵抗が小さい第２の制限通路と、前記主液室と前記副液室との間に設けられ、液体が封入されたシリンダ室と、前記シリンダ室内を、前記第２の制限通路の一部を構成すると共に前記副液室に連通したオリフィス空間と前記第２の制限通路から隔離された液圧空間とに区画し、前記オリフィス空間及び前記液圧空間の拡縮方向に沿って所定の開放位置と閉塞位置との間で移動可能とされプランジャ部材と、前記オリフィス空間内に面するように設けられ、前記第２の制限通路における該オリフィス空間と他の部分とを連通させるオリフィス開口と、前記主液室と前記液圧空間との間に配置され、前記主液室内の液圧変化に伴って該主液室と前記液圧空間との間で一方向へのみ液体を流出させ得る逆止弁と、前記プランジャ部材に対して磁力を作用させ、該磁力により前記プランジャ部材を前記開放位置側へ付勢する磁気付勢手段と、を有し、前記プランジャ部材が、前記液圧空間内の液圧により前記磁気付勢手段の磁力に抗して前記前記閉塞位置に移動すると、前記オリフィス開口を閉塞させ、前記磁気付勢手段の磁力により前記開放位置へ移動すると、前記オリフィス開口を開放することを特徴とする。
【０００９】
本発明の請求項１に係る防振装置の作用を以下に説明する。
【００１０】
請求項１の防振装置では、基本的に、第１及び第２の取付部材の何れか一方に振動が伝達されると、第１及び第２の取付部材間に配置された弾性体が弾性変形し、この弾性体の内部摩擦等に基づく吸振作用によって振動が吸収され、振動受け部側へ伝達される振動が低減される。
【００１１】
また請求項１に係る防振装置では、主液室と副液室とが第１の制限通路により互いに連通すると共に、オリフィス開口が開口している状態では、主液室と副液室が第１の制限通路よりも液体の流通抵抗が小さい第２の制限通路によっても互いに連通する。更に、請求項１に係る防振装置では、開放位置にあったプランジャ部材が、逆止弁を通して主液室から液圧空間内へ供給される液圧により閉塞位置へ移動すると、弾性体の弾性変形に伴って、第１の制限通路のみを通って主液室と副液室との間を液体が行き来し、また閉塞位置にあったプランジャ部材が、磁気付勢手段の磁力により開放位置へ復帰すると、第１の制限通路及び第２の制限通路の双方が開放された状態となるが、弾性体の弾性変形に伴って、液体の流通抵抗が相対的に小さい第２の制限通路を優先的に通って主液室と副液室との間を液体が行き来する。
【００１２】
すなわち、請求項１に係る防振装置では、相対的に周波数が低く振幅が大きい振動（以下、「低周波域振動」という。）が入力した場合には、この低周波域振動によって弾性体が弾性変形し、主液室内に相対的に大きな液圧変化が生じると共に、主液室内の周期的な液圧変化時に逆止弁を通して主液室から液圧空間へ液体が流入し、又は液圧空間から主液室へ液体が流出して、液圧空間内の液圧が主液室内の液圧（最高値又は最低値）と略平衡する平衡圧に達する。このとき、磁気付勢手段がプランジャ部材に付勢力として作用させる磁力の大きさを液圧空間内の平衡圧に対応する値よりも小さく設定しておけば、プランジャ部材が磁気付勢手段の磁力に抗して開放位置から閉塞位置側へ間欠的に移動し、液圧空間内の液圧により閉塞位置へ保持される。
【００１３】
従って、第１の制限通路における液体の流通抵抗を低周波域振動の周波数及び振幅に対応するように設定（チューニング）しておけば、第１の制限通路を通って主液室と副液室との間を行き来する液体に共振現象（液柱共振）が生じるので、この液柱共振の作用によって低周波域振動を特に効果的に吸収できる。
【００１４】
また請求項１に係る防振装置では、相対的に周波数が高く振幅が小さい振動（以下、「高周波域振動」という。）が入力した場合には、この高周波域振動によって弾性体が弾性変形すると共に、主液室内に相対的に小さな液圧変化が生じることから、この場合にも、主液室内の周期的な液圧変化時に逆止弁を通して主液室から液圧空間へ液体が流入し、又は液圧空間から主液室へ液体が流出して、液圧空間内の液圧が主液室内の液圧（最高値又は最低値）と略平衡する平衡圧に達する。このとき、磁気付勢手段がプランジャ部材に付勢力として作用させる磁力の大きさを液圧空間内の平衡圧に対応する値よりも大きく設定しておけば、プランジャ部材が開放位置にあるときには、磁気付勢手段の付勢力により開放位置に保持され、また閉塞位置にある場合には、磁気付勢手段の付勢力により閉塞位置から開放位置へ移動（復帰）する。
【００１５】
従って、請求項１に係る防振装置では、高周波域振動の入力時には、弾性体の弾性変形に伴って、第１の制限通路に対して液体の流通抵抗が小さい第２の制限通路を優先的に通って主液室と副液室との間を液体が行き来することから、振動発生部から振動受け部へ伝達される高周波域振動を効果的に低減できる。
【００１６】
このとき、第２の制限通路における液体の流通抵抗を高周波域振動の周波数及び振幅に対応するように設定（チューニング）しておけば、第２の制限通路を通って主液室と副液室との間を行き来する液体に共振現象（液柱共振）が生じるので、この液柱共振の作用によって高周波域振動を特に効果的に吸収できる。
【００１７】
この結果、請求項１に係る防振装置によれば、電磁ソレノイドや空圧ソレノイド等の外部からの制御及び動力供給を受けて作動するバルブ機構を用いることなく、入力振動の周波数変化に応じて、主液室と副液室とを連通する制限通路を第１の制限通路及び第２の制限通路の何れか一方に、主液室内の液圧変化を駆動力として用いて切り換えることができる。
【００１８】
また請求項１に係る防振装置では、磁気付勢手段がプランジャ部材に対して磁力を作用させ、この磁力によりプランジャ部材を開放位置側へ付勢し、このプランジャ部材が、低周波域振動の入力時には、液圧空間内の液圧により磁気付勢手段の磁力に抗して閉塞位置に移動してオリフィス開口を閉塞させ、高周波域振動の入力時には、磁気付勢手段の磁力により開放位置へ移動してオリフィス開口を開放することにより、閉塞位置にあるプランジャ部材を開放位置に復帰させるためにコイルスプリング等の付勢部材を装置内で所定の姿勢に保持するための座受部等が必要なくなると共に、付勢部材をシリンダ室等の装置内部に組み付ける作業も不要にできるので、プランジャ部材を開放位置に復帰させるためにコイルスプリング等を用いる従来の防振装置と比較し、装置の構成部品の形状及び構造を簡略化でき、さらに装置の組立作業（アセンブリ作業）も簡単になる。
【００１９】
また本発明の請求項２に係る防振装置は、請求項１記載の防振装置において、前記磁気付勢手段は、前記プランジャ部材に対して磁力を反発力として作用させて該プランジャ部材を前記開放位置側へ付勢することを特徴とする。
【００２０】
また本発明の請求項３に係る防振装置は、請求項１記載の防振装置において、前記磁気付勢手段は、前記プランジャ部材に対して磁力を吸着力として作用させて該プランジャ部材を前記開放位置側へ付勢することを特徴とする。
【００２１】
また本発明の請求項４に係る防振装置は、請求項３記載の防振装置において、前記磁気付勢手段は、前記プランジャ部材及び前記シリンダ室と前記副液室とを区画する隔壁部の一方に配置された磁石部材と、前記プランジャ部材及び前記隔壁部の他方における少なくとも前記磁石部材と対向する領域に設けられ、強磁性体により形成された被吸着部と、を有することを特徴とする。
【００２２】
また本発明の請求項５に係る防振装置は、請求項４記載の防振装置において、前記磁気付勢手段は、前記プランジャ部材が前記開放位置にある状態で、前記磁石部材と前記被吸着部との間に前記拡縮方向に沿って所定幅の空隙を形成し、該空激により前記磁石部材と前記被吸着部との間に生じる最大吸着力を調整することを特徴とする。
【００２３】
また本発明の請求項６に係る防振装置は、請求項１乃至３の何れか１項記載の防振装置において、前記磁気付勢手段は、前記プランジャ部材に配置された第１の磁石部材と、前記シリンダ室と前記副液室とを区画する隔壁部に、前記拡縮方向に沿った前記第１の磁石部材と対向するように配置された第２の磁石部材と、を有することを特徴とする。
【発明の効果】
【００２４】
以上説明したように、本発明に係る防振装置によれば、装置の構造及び組立作業をそれぞれ簡略化できる。
【発明を実施するための最良の形態】
【００２５】
以下、本発明の実施形態に係る防振装置について図面を参照して説明する。なお、図中、符号Ｓは装置の軸心を表しており、この軸心Ｓに沿った方向を装置の軸方向として以下の説明を行う。
【００２６】
（第１の実施形態）
図１及び図２には本発明の第１の実施形態に係る防振装置が示されている。この防振装置１０には、その外周上端側に円筒状の上側外筒１２が設けられると共に、この上側外筒１２の下側に円筒状の下側外筒１４が連結固定されている。上側外筒１２には、その下端部に外周側に延出するフランジ部１６が屈曲形成されている。下側外筒１４には、軸方向中間部に周方向に延在する環状の段差部１８が形成されると共に、この段差部１８を介して上側及び下側にそれぞれ大径円筒部２０及び小径円筒部２２が設けられている。また下側外筒１４には、その上端部に外周側へ延出するフランジ部２４が屈曲形成されており、このフランジ部２４上には、上側外筒１２のフランジ部１６が載置されている。防振装置１０では、フランジ部１６の外周側がフランジ部２４の外周側を挟み込みむように内周側へ屈曲されることにより、上側外筒１２と下側外筒１４とが互いにかしめ固定されている。防振装置１０は、下側外筒１４がカップ状のホルダ金具（図示省略）内へ嵌挿されることにより、このホルダ金具を介して車両のエンジン側へ連結固定される。
【００２７】
下側外筒１４には、その小径円筒部２２の内周面に略円筒形状に形成されたゴム弾性体２６の外周部が加硫接着されると共に、大径円筒部２０の内周面にゴム弾性体２６の外周部から上方へ延出する薄肉円筒状の被覆部２８が加硫接着されている。ゴム弾性体２６は、その断面形状が外周側から内周側へ向って上方へ傾斜する略ハ字状に形成されている。防振装置１０には、下側外筒１４の内周側に円柱状の取付金具３０が配置されており、この取付金具３０の外周面にはゴム弾性体２６の内周面が加硫接着されている。またゴム弾性体２６には、内周側の上端部から内周側へ延出するリング状のクッション部２９が一体成形されており、このクッション部２９は、取付金具３０の頂面部に加硫接着されている。取付金具３０には、その下端面から軸心Ｓに沿ってねじ穴３２が穿設されている。防振装置１０は、ねじ穴３２にねじ込まれたボルト（図示省略）を介して取付金具３０が車体側へ連結固定される。
【００２８】
防振装置１０内には、全体として略肉厚円板状に形成された仕切金具３４が外筒１２，１４の内周側に嵌挿されている。仕切金具３４は、上側外筒１２，１４の内周側の空間を軸方向に沿って２個の小空間に区画しており、これら２個の小空間はそれぞれ水、エチレングリコール等の液体が封入される主液室３６及び副液室３８とされる。ここで、主液室３６は、ゴム弾性体２６を隔壁の一部としており、その内容積がゴム弾性体２６の弾性変形に伴って変化（拡縮）する。また副液室３８は、後述するダイヤフラム４０を隔壁の一部としており、ダイヤフラム４０の変形により内容積が拡縮可能とされている。
【００２９】
図１に示されるように、上側外筒１２には、その内周面及び外周面に薄膜状に形成されたゴム製の被覆部４２が加硫接着されており、この被覆部４２の上端部には、下方へ向って開いた椀状に形成されたゴム製のダイヤフラム４０の周縁部が全周に亘って接合されている。ダイヤフラム４０は上側外筒１２の上端側を閉止しており、十分に小さい荷重（液圧）により副液室３８を拡縮するように変形可能とされている。
【００３０】
図５に示されるように、仕切金具３４には、その上端側に樹脂材料やアルミニウム等の金属材料により形成された略肉厚円筒状の上部オリフィス部材４４が設けられると共に、この上部オリフィス部材４４の下側にアルミニウム等の金属材料により形成された円板状の下部オリフィス部材４６が配置されている。上部オリフィス部材４４は、上端側が頂板部４５により閉止された有底円筒状に形成されており、頂板部４５には、内周側から外周側へ向って開口幅が広がる略扇状に形成された複数個（本実施形態では、４個）の流通開口４８が穿設されると共に、これらの流通開口４８の中心部に円形の嵌挿穴８８が穿設されている。また上部オリフィス部材４４には、その外周面における軸方向中間部に外周側へ延出する環状のフランジ部５２が一体的に形成されている。
【００３１】
図３に示されるように、上部オリフィス部材４４の頂板部４５には、流通開口４８の内周側に肉厚円板状のボス部１３２が一体的に形成されており、このボス部１３２は、その下端側を頂板部４５の下面に対して下方へ突出させている。ボス部１３２には、その中心部に円形の嵌挿穴１３３が軸方向へ貫通している。嵌挿穴１３３内には、肉厚円板状に形成された固定側磁石１２８が嵌挿されており、この固定側磁石１２８は、その外周面が接着剤等により嵌挿穴１３３の内周面に固着されている。ここで、固定側磁石１２８は、その軸方向に沿った上端面がＮ極である磁極面１２８Ｎとされると共に、下端面がＳ極である磁極面１２８Ｓとなるように嵌挿穴１３３内に配置されている。また固定側磁石１２８は、その中心軸が軸心Ｓと実質的に一致するように位置決めされている。
【００３２】
下部オリフィス部材４６には、その中央部に上方へ向かって突出する円形凸状に形成された嵌挿部５０が形成されると共に、外周部に上部オリフィス部材４４のフランジ部５２に対応する環状のフランジ部５５が形成されている。また下部オリフィス部材４６には、径方向に沿って嵌挿部５０とフランジ部５５との間に周方向へ延在する樋状部５６が全周に亘って形成されている。この樋状部５６は、その断面が上方へ向って開いた略Ｕ字状（図３参照）とされており、その底板部には周方向に沿った所定の部位には略矩形状の下部連通穴５８が穿設されている。
【００３３】
図１に示されるように、仕切金具３４では、下部オリフィス部材４６の嵌挿部５０が下方から上部オリフィス部材４４の内周側に嵌挿されると共に、下部オリフィス部材４６のフランジ部５５が上部オリフィス部材４４のフランジ部５２へ突き当てられた状態とされ、これらのフランジ部５２，５５が上側外筒１２のフランジ部１６と下側外筒１４のフランジ部２４との間に挟持される。これにより、上部オリフィス部材４４と下部オリフィス部材４６とが互いに固定されて一体化されると共に、仕切金具３４が上側外筒１２及び下側外筒１４に対して固定される。
【００３４】
図３に示されるように、上部オリフィス部材４４の下端側が下部オリフィス部材４６のフランジ部５５の内周側により閉塞されることにより、上部オリフィス部材４４の内部には、外部から区画された円柱状の空間であるシリンダ室６０が形成される。このシリンダ室６０内にも、主液室３６及び副液室３８と同一の液体が封入される。また上部オリフィス部材４４には、その外周面における下端部がＬ字状に切り欠かれることにより、周方向へ延在する下端溝部６２が形成されている。この下端溝部６２は、上部オリフィス部材４４の外周面を一周近くに亘って周回するＣ字状に形成されており、その周方向に沿った両端部が上部オリフィス部材４４の下端部により閉塞されている。
【００３５】
仕切金具３４では、上部オリフィス部材４４の下端側に下部オリフィス部材４６が固定されると、上部オリフィス部材４４の下端部が下部オリフィス部材４６の樋状部５６内へ嵌挿されると共に、上部オリフィス部材４４の下端溝部６２の外周側及び底面側がそれぞれ樋状部５６の内壁により閉塞される。これにより、上部オリフィス部材４４の下端溝部６２内には、外部から区画された周方向へ細長い有端状の空間である下段オリフィス通路６４が形成される。この下段オリフィス通路６４の一端部は、下部連通穴５８を介して主液室３６と連通する。
【００３６】
図５に示されるように、上部オリフィス部材４４には、その外周面に軸心Ｓを中心として螺旋状に延在する外周溝６６が形成されている。この外周溝６６は、上部オリフィス部材４４の外周面を２周以上に亘って周回している。外周溝６６は、その周方向両端部がそれぞれ上部オリフィス部材４４の内壁部により閉塞されている。また外周溝６６には、その副液室３８側の一端部から周方向中間部までの部分に軸方向に沿った幅が相対的に狭い専用オリフィス部６８が設けられると共に、この専用オリフィス部６８の終端部から主液室３６側の他端部までの部分に軸方向に沿った幅が相対的に広く、かつ専用オリフィス部６８よりも路長が短い共用オリフィス部７０が設けられている。
【００３７】
上部オリフィス部材４４には、外周溝６６（専用オリフィス部６８）の一端部と上部オリフィス部材４４の上面部との間を貫通する上部連通穴７２が形成されると共に、外周溝６６（共用オリフィス部７０）の他端部を樋状部５６の他端部に接続する中間接続穴７４が穿設されている。また上部オリフィス部材４４には、外周溝６６における専用オリフィス部６８と共用オリフィス部７０との境界部付近に外周溝６６の内周側の底面部とシリンダ室６０の内周面との間を貫通したオリフィス開口７６が形成されている。このオリフィス開口７６は、その開口形状が周方向に細長いスロット状に形成されている。
【００３８】
図１に示されるように、防振装置１０では、仕切金具３４が外筒１２，１４の内周側へ嵌挿された状態で、上部オリフィス部材４４の外周面が被覆部４２を介して上側外筒１２の内周面に圧接する。これにより、上部オリフィス部材４４の外周溝６６（専用オリフィス部６８及び共用オリフィス部７０）の外周側が被覆部４２の内周面により閉塞される。このとき、下段オリフィス通路６４と外周溝６６（共用オリフィス部７０及び専用オリフィス部６８）内の空間は、中間接続穴７４を通して互いに接続され、１本の細長い空間であるシェイクオリフィス１１８を形成する。この第１の制限通路であるシェイクオリフィス１１８は、その一端部が上部オリフィス部材４４の上部連通穴７２を通して副液室３８に接続されると共に、他端部が下部オリフィス部材４６の下部連通穴５８を通して主液室３６に連通する。
【００３９】
ここで、シェイクオリフィス１１８は、入力振動のうち相対的に低周波域の振動であるシェイク振動（例えば、９〜１５Ｈｚ）に対応するように、その路長及び断面積、すなわち液体の流通抵抗が設定（チューニング）されている。
【００４０】
図３に示されるように、上部オリフィス部材４４のシリンダ室６０には、略円板状（図５参照）に形成されたプランジャ部材７８が軸方向に沿って移動可能に収納されている。プランジャ部材７８は、シリンダ室６０を軸方向に沿って主液室３６側の小空間である液圧空間１１２と副液室３８側の小空間であるオリフィス空間１１４（図４参照）とに区画している。またプランジャ部材７８は、その外周面における上端側及び下端側のエッジ部がオリフィス開口７６の長手方向と平行に延在している。
【００４１】
図５に示されるように、プランジャ部材７８は、全体として頂面側が頂板部８０により閉止された有底円筒状に形成されており、その内周側に下方へ向って開いた中空部８１が形成されると共に、頂板部８０の中央部に外周側よりも肉厚の円板状とされたボス部１３４が一体的に形成されている。またプランジャ部材７８には、そのボス１３４の外周側に軸方向へ貫通する液圧解放路１２６が穿設されている。
【００４２】
図３に示されるように、ボス部１３４は、その上端側を頂板部８０の上面から液圧空間１１２内へ突出させている。ボス部１３４には、その中心部に円形の嵌挿穴１３５が軸方向へ貫通している。嵌挿穴１３５内には、肉厚円板状に形成された可動側磁石１３０が嵌挿されており、この可動側磁石１３０は、その外周面が接着剤等により嵌挿穴１３５の内周面に固着されている。ここで、可動側磁石１３０は、その軸方向に沿った上端面がＳ極である磁極面１３０Ｓとされると共に、下端面がＮ極である磁極面１３０Ｎとなるように嵌挿穴１３５内に配置されている。また可動側磁石１３０は、その中心軸が軸心Ｓと実質的に一致するように位置決めされており、その外径が固定側磁石１２８の外径と略等しくなっている。
【００４３】
図３に示されるように、プランジャ部材７８は、上部オリフィス部材４４のシリンダ室６０内へ挿入され、シリンダ室６０の内周面に沿って軸方向に沿って所定の範囲（後述する開放位置と閉塞位置との間）で移動可能となる。また下部オリフィス部材４６の嵌挿部５０には、その頂板部８２側に下端側よりも外径が縮小された小径部８４が形成されている。頂板部８２には、その中央側に円形凹状のホルダ部８６が形成されている。このホルダ部８６は、頂板部８２の外周部が全周に亘って断面半円状になるように湾曲されて形成されている。また頂板部８２には、図５に示されるように、その中心部に円形の嵌挿穴８８が穿設されると共に、この嵌挿穴８８の外周側に円形の弁座開口９０が複数個（本実施形態では、４個）形成されている。
【００４４】
図３に示されるように、仕切金具３４には、下部オリフィス部材４６における嵌挿部５０の外周側に嵌挿されるホルダ部材９２が設けられている。ホルダ部材９２は、頂面側が頂板部９４により閉止された有底円筒状に形成されており、振幅方向に沿って下端側に円筒状の大径部９６が設けられる共に、この大径部９６の上側に内外径が縮小された小径部９８が一体的に形成されている。ここで、小径部９８の外径は、シリンダ室６０の内径よりも所定長短くなっている。大径部９６には、その下端部に外周側へ延出する環状のフランジ部１００が屈曲形成されている。またホルダ部材９２の頂板部９４には、その中心部に円形の嵌挿穴１０２が穿設されると共に、この嵌挿穴１０２の外周側に内周側から外周側へ向って開口幅が広がった略扇状の連通開口９５が複数個（本実施形態では、４個）形成されている。
【００４５】
ホルダ部材９２は、その頂板部９４により下部オリフィス部材４６のホルダ部８６の頂面側を閉止すると共に、小径部９８及び大径部９６を嵌挿部５０の上端側及び下端側の外周側にそれぞれ嵌挿させている。またホルダ部材９２は、そのフランジ部１００が上部オリフィス部材４４の下端面と下部オリフィス部材４６の樋状部５６の底面部との間に挟持されている。これにより、ホルダ部材９２は、シリンダ室６０内で上部オリフィス部材４４及び下部オリフィス部材４６に対して固定される。またホルダ部材９２の小径部９８の外周面とシリンダ室６０の内周面との間には、プランジャ部材７８の周壁部が軸方向に沿って挿脱可能となる円筒状の隙間が形成される。
【００４６】
図３に示されるように、下部オリフィス部材４６のホルダ部８６は、その頂面側がホルダ部材９２の頂板部９４により閉止されることにより、その内部に外部から区画された円板状の空間である弁体収納室１０４が形成される。この弁体収納室１０４内には、図３に示されるように、ＮＲ、ＮＢＲ等のゴム材料により略円板状に形成された弁体１０６が収納されている。
【００４７】
弁体１０６は、その下面側が平面状とされると共に、上面側が内周側から外周側へ向って上方へ僅かに傾斜するスロープ状に形成されており、軸方向に沿った肉厚が内周側から外周側へ向って徐々に薄くなっている。また弁体１０６には、上面中央部に円形凸状の突起部１０８が形成されると共に、下面中央部にも円形凸状の突起部１１０が形成されている。弁体１０６は、その上面側の突起部１０８をホルダ部材９２の嵌挿穴１０２内へ嵌挿すると共に、下面側の突起部１１０を下部オリフィス部材４６の嵌挿穴８８内へ嵌挿している。これにより、弁体１０６は、ホルダ部材９２及び下部オリフィス部材４６と同軸的に位置決めされると共に、径方向への移動が拘束される。
【００４８】
弁体１０６は、突起部１０８，１１０の周縁部付近がホルダ部材９２の頂板部９４と下部オリフィス部材４６の頂板部８２との間で軸方向に沿って圧縮されている。これにより、弁体１０６は、その下面部を所定の加圧力（予圧力）で下部オリフィス部材４６の頂板部８２へ圧接させると共に、ホルダ部材９２と下部オリフィス部材４６との間で軸方向への移動が拘束される。弁体１０６は、図３の２点鎖線で示されるように、圧縮状態となった部分の外周側の部分が上方へ向って撓み変形可能となっている。
【００４９】
図３に示されるように、弁体１０６は、その外周端を径方向に沿って下部オリフィス部材４６における弁座開口９０の外周端よりも外周側に位置させ、かつホルダ部材９２の連通開口９５の外周端よりも内周側に位置させている。これにより、弁体１０６は、その下面部を頂板部８２に圧接させた状態（閉状態）で弁座開口９０を閉塞し、また、図３の２点鎖線で示されるように、外周側が下方へ撓み変形して頂板部９４から離間した状態（開状態）になると、弁座開口９０が弁体収納室１０４を介して連通開口９５に連通した状態となり、主液室３６が弁体収納室１０４を通してシリンダ室６０の液圧空間１１２内へ連通する。すなわち、弁体収納室１０４内に収納された弁体１０６、ホルダ部材９２及び下部オリフィス部材４６は、主液室３６とシリンダ室６０との間で逆止弁１１６（図５参照）を構成しており、この逆止弁１１６は、主液室３６からシリンダ室６０（液圧空間１１２）内へのみ液体の流入を許容するが、液圧空間１１２から主液室３６内への液体の流出を阻止する。
【００５０】
図１に示されるように、シリンダ室６０のオリフィス空間１１４は、上部オリフィス部材４４の複数の流通開口４８を通して常に副液室３８と連通している。また防振装置１０では、下段オリフィス通路６４、共用オリフィス部７０及び、この共用オリフィス部７０にオリフィス開口７６を通して連通したオリフィス空間１１４が、シェイク振動に対して相対的に高周波域の振動であるアイドル振動（例えば、１８〜３０Ｈｚ）に対応するアイドルオリフィス１２０を形成している。この第２の制限通路であるアイドルオリフィス１２０は、その路長及び断面積、すなわち液体の流通抵抗がアイドル振動に対応するように設定（チューニング）されている。ここで、アイドルオリフィス１２０における液体の流通抵抗は、シェイクオリフィス１１８における液体の流通抵抗よりも小さくなっている。またオリフィス開口７６の開口面積は、共用オリフィス部７０及び下段オリフィス通路６４の断面積よりも大きくなっている。
【００５１】
防振装置１０では、上部オリフィス部材４４の頂板部４５に固定側磁石１２８が配置されると共に、プランジャ部材７８の頂板部８０に可動側磁石１３０が配置され、これらの磁石１２８，１３０が軸方向に沿って互いに磁極面１２８Ｓ，１３０Ｓ同士を対向させている。これにより、これらの磁石１２８，１３０は、軸方向に沿った磁気的な反発力を発生することになり、この磁気的な反発力は、プランジャ部材７８に対しては開放位置（図１参照）側へ移動させようとする付勢力として作用する。なお、本実施形態の場合には、磁石１２８，１３０の磁極面１３０Ｓ同士を対向させても、プランジャ部材７８を開放位置側へ付勢する磁気的な反発力な吸着力を発生できる。
【００５２】
防振装置１０では、図２に示されるように、磁石１２８，１３０の磁気的な反発力に抗してプランジャ部材７８が閉塞位置へ移動（上昇）すると、上部オリフィス部材４４のオリフィス開口７６がプランジャ部材７８の外周面により閉塞され、共用オリフィス部７０がオリフィス空間１１４と非連通状態となる。これにより、主液室３６と副液室３８とは、シェイクオリフィス１１８のみを通して互いに連通する。
【００５３】
このとき、プランジャ部材７８の外周面は、図４に示されるように、シリンダ室６０の内周面におけるオリフィス開口７６に対して上側及び下側の領域とそれぞれオーバラップする。このとき、プランジャ部材７８の外周面とシリンダ室６０の内周面とのオーバラップ量は、それぞれＯＬＵ及びＯＬＡに設定されており、これらのオーバラップ量ＯＬＵ，ＯＬＡは、例えば、２．５〜３．０ｍｍ程度に設定されている。
【００５４】
上記のようにプランジャ部材７８が閉塞位置にある状態で、プランジャ部材７８の外周面とシリンダ室６０の内周面とを軸方向に沿ってオーバラップさせることにより、後述するように、主液室３６内の液圧変化に伴ってプランジャ部材７８が軸方向に沿って振動しても、プランジャ部材７８によりオリフィス開口７６を確実に閉塞状態に維持できる。
【００５５】
また防振装置１０では、図１に示されるように、磁石１２８，１３０の磁気的な反発力によりプランジャ部材７８が開放位置へ移動（下降）すると、プランジャ部材７８がオリフィス開口７６から離れてオリフィス開口７６が開放され、共用オリフィス部７０が下段オリフィス通路６４内と連通する。このとき、プランジャ部材７８は、その周壁部をホルダ部材９２の外周面とシリンダ室６０との間に形成された隙間に挿入する。これにより、シリンダ室６０でプランジャ部材７８に必要な可動範囲（ストローク）を確保すると共に、シリンダ室６０の軸方向に沿った寸法を小さいものにしている。
【００５６】
プランジャ部材７８が開放位置に移動することにより、主液室３６と副液室３８とは、シェイクオリフィス１１８及びアイドルオリフィス１２０の双方を通して互いに連通するが、主液室３６内の液圧が変化した際には、下段オリフィス通路６４及び中間接続穴７４を通して共用オリフィス部７０内へ流入した液体は、専用オリフィス部６８との境界部付近に達すると、専用オリフィス部６８よりも液体の流通抵抗が小さいオリフィス開口７６を通ってオリフィス空間１１４内へ優先的に流入し、またオリフィス開口７６を通って共用オリフィス部７０内へ流入した液体も、専用オリフィス部６８よりも液体の流通抵抗が小さい共用オリフィス部７０及び下段オリフィス通路６４内を優先的に通って主液室３６内へ抜ける。これにより、防振装置１０では、プランジャ部材７８が開放位置にある場合、実質的にアイドルオリフィス１２０のみを通って主液室３６と副液室３８との間で液体が流通する。
【００５７】
またプランジャ部材７８の液圧解放路１２６は、磁石１２８，１３０の磁気的な反発力によりプランジャ部材７８が開放位置側へ移動する際に、外部から閉じられた液圧空間１１２内の液体をオリフィス空間１１４内へ流出させ、液圧空間１１２の液圧上昇を防止してプランジャ部材７８を開放位置側へ移動可能にする。
【００５８】
次に、本発明の第１の実施形態に係る防振装置１０の作用を説明する。
【００５９】
防振装置１０では、例えば、車両におけるエンジンが作動すると、エンジンが発生した振動が取付金具３０を介してゴム弾性体２６に伝達され、ゴム弾性体２６が弾性変形する。このとき、ゴム弾性体２６は吸振主体として作用し、ゴム弾性体２６の内部摩擦等に基づく吸振作用によって振動が吸収され、外筒１２，１４を介して車体側へ伝達される振動が低減される。また自動車等の車両では、アイドリング運転時にエンジンが相対的に高周波域の振動であるアイドル振動を発生し、また所定速度以上での走行時にはエンジンが相対的に低周波域の振動であるシェイク振動を発生する。
【００６０】
また防振装置１０では、シェイクオリフィス１１８の主液室３６側の一部が、アイドルオリフィス１２０の一部を形成する共用オリフィス部７０とされ、この共用オリフィス部７０と専用オリフィス部６８との境界部付近にシリンダ室６０のオリフィス空間１１４に連通するオリフィス開口７６が形成されていることから、主液室３６と副液室３８とがシェイクオリフィス１１８により互いに連通すると共に、オリフィス開口７６が開放されている場合には、アイドルオリフィス１２０によっても互いに連通する。
【００６１】
更に、防振装置１０では、プランジャ部材７８が、シリンダ室６０の液圧空間１１２内の液圧により磁石１２８，１３０の磁気的な反発力に抗して開放位置から閉塞位置に移動するとオリフィス開口７６を閉塞させ、磁石１２８，１３０の磁気的な反発力により閉塞位置から開放位置へ復帰するとオリフィス開口７６を開放することから、シェイク振動の入力時に、開放位置にあったプランジャ部材７８が閉塞位置へ移動すると、ゴム弾性体２６の弾性変形に伴って、シェイクオリフィス１１８のみを通って主液室３６と副液室３８との間を液体が行き来し、またアイドル振動の入力時に、閉塞位置にあったプランジャ部材７８が開放位置へ復帰すると、シェイクオリフィス１１８及びアイドルオリフィス１２０の双方が開放された状態となるが、ゴム弾性体の弾性変形に伴って、液体の流通抵抗が相対的に小さいアイドルオリフィス１２０を優先的に通って主液室３６と副液室３８との間を液体が行き来する。
【００６２】
すなわち、防振装置１０では、相対的に周波数が低く振幅が大きいシェイク振動が入力した場合には、このシェイク振動によってゴム弾性体２６が弾性変形し、主液室３６内に相対的に大きな液圧変化が生じると共に、主液室３６内の周期的な液圧上昇時に逆止弁１１６を通して主液室３６から液圧空間１１２へ液体が流入して、液圧空間１１２内の液圧も主液室３６内の上昇時の液圧と略平衡する平衡圧まで上昇する。
【００６３】
ここで、防振装置１０では、磁石１２８，１３０の磁気的な反発力がシェイク振動の入力時の液圧空間１１２内の液圧（平衡圧）に対応する値よりも小さく設定されており、これにより、シェイク振動の入力時には、プランジャ部材７８が磁気的な反発力に抗して開放位置から閉塞位置側へ間欠的に移動し、液圧空間１１２内の液圧により閉塞位置へ保持される。
【００６４】
従って、防振装置１０では、シェイク振動の入力時には、ゴム弾性体２６の弾性変形に伴って、シェイクオリフィス１１８のみを通して主液室３６と副液室３８の間を液体が行き来することから、入力振動（低周波域振動）を吸収できるので、エンジン側から車体側へ伝達されるシェイク振動を低減できる。
【００６５】
このとき、シェイクオリフィス１１８における液体の流通抵抗がシェイク振動の周波数及び振幅に対応するように設定（チューニング）されていることから、シェイクオリフィス１１８を通って主液室３６と副液室３８との間を行き来する液体に共振現象（液柱共振）が生じ、この液柱共振の作用によってシェイク振動を特に効果的に吸収できる。
【００６６】
また防振装置１０では、相対的に周波数が高く振幅が小さいアイドル振動が入力した場合には、このアイドル振動によってゴム弾性体２６が弾性変形すると共に、主液室３６内に相対的に小さな液圧変化が生じることから、この場合にも、主液室３６内の周期的な液圧上昇時に逆止弁１１６を通して主液室３６から液圧空間１１２へ液体が流入して、液圧空間１１２内の液圧が上昇して主液室３６内の上昇時の液圧（最高値）と略平衡する平衡圧まで達する。
【００６７】
ただし、防振装置１０では、磁石１２８，１３０の磁気的な反発力が、アイドル振動の入力時における液圧空間１１２内の平衡圧に対応する値よりも大きく設定されており、これにより、プランジャ部材７８が開放位置にあるときには、磁気的な反発力により開放位置に保持され、また閉塞位置にある場合には、磁気的な反発力により閉塞位置から開放位置へ移動（復帰）する。
【００６８】
なお、プランジャ部材７８が開放位置側へ移動する際には、プランジャ部材７８に形成された液圧解放路１２６が、外部から閉じられた液圧空間１１２内の液体をオリフィス空間１１４内へ流出させることから、液圧空間１１２の液圧上昇を防止してプランジャ部材７８を開放位置側へ円滑に、かつ低い移動抵抗で移動可能にする。
【００６９】
従って、防振装置１０では、アイドル振動の入力時には、ゴム弾性体２６の弾性変形に伴って、シェイクオリフィス１１８に対して液体の流通抵抗が小さいアイドルオリフィス１２０を優先的に通って主液室３６と副液室３８との間を液体が行き来することから、エンジン側から車体側へ伝達されるアイドル振動を低減できる。
【００７０】
このとき、アイドルオリフィス１２０における液体の流通抵抗がアイドル振動の周波数及び振幅に対応するように設定（チューニング）されていることから、アイドルオリフィス１２０を通って主液室３６と副液室３８との間を行き来する液体に共振現象（液柱共振）が生じ、この液柱共振の作用によってアイドル振動を特に効果的に吸収できる。
【００７１】
この結果、防振装置１０によれば、電磁ソレノイドや空圧ソレノイド等の外部からの制御及び動力供給を受けて作動するバルブ機構を用いることなく、主液室３６と副液室３８とを連通するオリフィスを、入力振動の周波数に応じて、シェイクオリフィス１１８及びアイドルオリフィス１２０の何れか一方に、主液室３６内の液圧変化を駆動力として用い切り換えることができる。
【００７２】
また防振装置１０では、磁石１２８，１３０がプランジャ部材７８に対して磁気的な反発力を作用させ、この磁気的な反発力によりプランジャ部材７８を開放位置側へ付勢し、プランジャ部材７８が、シェイク振動の入力時には、液圧空間１１２内の液圧により磁石１２８，１３０の磁気的な反発力に抗して閉塞位置に移動してオリフィス開口７６を閉塞させ、アイドル振動の入力時には、磁石１２８，１３０の磁気的な反発力により開放位置へ移動してオリフィス開口７６を開放することにより、閉塞位置にあるプランジャ部材７８を開放位置に復帰させるためにコイルスプリング等の付勢部材を装置内で所定の姿勢に保持するための座受部等が必要なくなると共に、付勢部材をシリンダ室６０等の装置内部に組み付ける作業も不要にできるので、プランジャ部材７８を開放位置に復帰させるためにコイルスプリング等を用いる従来の防振装置と比較し、装置の構成部品の形状及び構造を簡略化でき、さらに装置の組立作業（アセンブリ作業）も簡単になる。
【００７３】
また防振装置１０では、プランジャ部材７８が閉塞位置に移動すると、装置内に充填された液体が完全な非圧縮性流体ではなく弾性的な性質もある程度有することに起因し、液圧空間１１２内には逆止弁１１６を通して主液室３６の加圧状態の液体（液圧）が間欠的に供給され、液圧空間１１２内の液圧が主液室３６内の液圧変化に同期して周期的に変化する現象が生じる。このため、閉塞位置にあるプランジャ部材７８には、液圧空間１１２内の液圧変化に対応する振動が生じるが、プランジャ部材７８の外周面がオリフィス開口７６の上側及び下側の領域にそれぞれオーバラップしている。これらのオーバラップ量ＯＬＵ，ＯＬＡは、それぞれ閉塞位置にあって振動するプランジャ部材７８の振幅よりも十分に大きく（例えば、２．５〜３．０ｍｍ程度）に設定されている。これにより、液圧空間１１２内の液圧変化によりプランジャ部材７８が振動してもオリフィス開口７６の閉塞状態が確実に維持できる。
【００７４】
（第２の実施形態）
図６及び図７には、本発明の第２の実施形態に係る防振装置が示されている。なお、本実施形態に係る防振装置１４０において、第１の実施形態に係る防振装置１０と同一の部分には同一符号を付して説明を省略する。
【００７５】
本実施形態に係る防振装置１４０が第１の実施形態に係る防振装置１０と異なる点は、上部オリフィス部材４４から固定側磁石１２８が省略されると共に、ホルダ部材９２が強磁性を有する鉄、ニッケル、これらの合金（強磁性体）により形成されて、その頂板部９４が固定側磁石１２８の被吸着部として構成されている点である。すなわち、防振装置１４０では、プランジャ部材７８に可動側磁石１３０が配置されると共に、この可動側磁石１３０の磁極面１３０Ｓを軸方向に沿ってホルダ部材９２の頂板部９４に正対している。これにより、可動側磁石１３０が頂板部９４に対して常に磁気的な吸着力を作用させ、この磁気的な吸着力は、プランジャ部材７８を（開放位置（図６参照）側へ付勢する。なお、本実施形態の場合には、可動側磁石１３０の磁極面１３０Ｎをホルダ部材９２の頂板部９４に正対させても、プランジャ部材７８に対する磁気的な吸着力を発生できる。
【００７６】
第１の実施形態の場合と同様に、プランジャ部材７８におけるボス部１３４の嵌挿穴１３５内に嵌挿された可動側磁石１３０は、その下端側の磁極面１３０Ｓをボス部１３４（頂板部８０）の下端面に対して所定の間隔Ｌ（図７参照）だけ上方へ位置させている。これにより、図６に示されるように、プランジャ部材７８が開放位置へ移動し、その頂板部８０をホルダ部材９２の頂板部９４へ当接させると、磁極面１３０Ｓと頂板部８０上面との間には軸方向に沿って間隔Ｌの幅を有する空隙Ｇが形成される。この空隙Ｇは、磁極面１３０Ｓがホルダ部材９２の頂板部８０に密着して、可動側磁石１３０がホルダ部材９２に作用させる磁気的な吸着力が過大になることを防止している。
【００７７】
すなわち、可動側磁石１３０による磁気的な吸着力は、磁極面１３０Ｓからホルダ部材９２までの距離の減少量の二乗に反比例して増加するので、磁極面１３０Ｓからホルダ部材９２までの距離が０になった場合には、液圧空間１１２の液圧によりプランジャ部材７８を可動側磁石１３０の磁気的な吸着力に抗してホルダ部材９２から離間させることが困難になる。
【００７８】
そこで、防振装置１４０では、プランジャ部材７８が開放位置にある状態で、可動側磁石１３０の磁極面１３０Ｓとホルダ部材９２の頂板部９４との間に軸方向に沿って所定の間隔Ｌを有する空隙Ｇを形成し、この空激Ｇにより可動側磁石１３０がホルダ部材９２の頂板部９４に作用させる磁気的な吸着力の最大値を制限している。具体的には、間隔Ｌは、可動側磁石１３０とホルダ部材９２との間に生じる磁気的な吸着力の最大値が液圧空間１１２の液圧に対応する値よりも小さくなるように設定されている。
【００７９】
図７に示されるように、上部オリフィス部材４４には、頂板部４５の下面中央部に肉厚円板状のストッパ部１４２が下方へ突出するように、一体的に形成されている。このストッパ部１４２は、プランジャ部材７８が閉塞位置に移動すると、可動側磁石１３０の磁極面１３０Ｎに当接してプランジャ部材７８の上方への移動を制限し、プランジャ部材７８を閉塞位置へ精度良く位置決めする。なお、上部オリフィス部材４４は、可動側磁石１３０との間に磁気的な吸着力が生じないアルミニウム、アルミ合金、樹脂材料等により形成されている。
【００８０】
次に、本発明の実施形態に係る防振装置１４０の作用を説明する。
【００８１】
防振装置１４０では、可動側磁石１３０がホルダ部材９２の頂板部９４に対して磁気的な吸着力を作用させ、この磁気的な吸着力な反発力によりプランジャ部材７８を開放位置側へ付勢し、プランジャ部材７８が、シェイク振動の入力時には、液圧空間１１２内の液圧により磁気的な吸着力に抗して閉塞位置に移動してオリフィス開口７６を閉塞させ、アイドル振動の入力時には、可動側磁石１３０の磁気的な吸着力により開放位置へ移動してオリフィス開口７６を開放することにより、閉塞位置にあるプランジャ部材７８を開放位置に復帰させるためにコイルスプリング等の付勢部材を装置内で所定の姿勢に保持するための座受部等が必要なくなると共に、付勢部材をシリンダ室６０等の装置内部に組み付ける作業も不要にできるので、プランジャ部材７８を開放位置に復帰させるためにコイルスプリング等を用いる従来の防振装置と比較し、装置の構成部品の形状及び構造を簡略化でき、さらに装置の組立作業（アセンブリ作業）も簡単になる。
【００８２】
また防振装置１４０では、第１の実施形態の防振装置１０と比較し、必要となる磁石が可動側磁石１３０のみとなり、固定側磁石１２８を不要にできるので、装置の構成部品の形状及び構造を更に簡略化でき、かつ装置の組立作業（アセンブリ作業）も更に簡単になる。
【００８３】
また、図６及び図７に示される係る防振装置１４０では、プランジャ部材７８に可動側磁石１３０を配置すると共に、ホルダ部材９２を可動側磁石１３０の被吸着部として構成したが、これとは逆に、ホルダ部材９２に固定側磁石１２８を配置すると共に、プランジャ部材７８に固定側磁石１２８の被吸着部を設けても良い。図８には、ホルダ部材９２に固定側磁石１２８が配置されると共に、プランジャ部材７８に被吸着部１４６が設けられた本実施形態に係る防振装置が示されている。ホルダ部材９２の頂板部９４には、その中央部に円筒状のボス部１４４が上方へ突出するように形成されており、このボス部１４４の内周側に形成された嵌挿穴１４５内に肉厚円板状の固定側磁石１２８が嵌挿固定されている。一方、プランジャ部材７８は、強磁性を有する鉄、ニッケル、これらの合金（強磁性体）により形成されており、このプランジャ部材７８の頂板部８０には、下方へ向って開いた有底円筒状に形成された被吸着部１４６が一体的に形成されている。
【００８４】
図８に示される防振装置１４０では、プランジャ部材７８が開放位置にある状態では、プランジャ部材７８の頂板部８０のホルダ部材９２の頂板部９４の外周側に当接すると共に、ボス部１４４及び固定側磁石１２８がそれぞれ被吸着部１４６内に挿入される。このとき、固定側磁石１２８の磁極面１２８Ｓと被吸着部１４６の底面部（頂板部８０の下面側）との間には空隙Ｇが形成される。この空隙Ｇは、図６及び図７に示される場合と同様に、軸方向に沿って所定の間隔Ｌを有しており、磁極面１２８Ｓが被吸着部１４６に密着して、固定側磁石１２８がプランジャ部材７８に作用させる磁気的な吸着力が過大になることを防止している。
【００８５】
図８に示される防振装置１４０では、固定側磁石１２８がプランジャ部材７８の被吸着部１４６に対して磁気的な吸着力を作用させ、この磁気的な吸着力によりプランジャ部材７８が開放位置に付勢される。従って、この図８に示される防振装置１４０によっても、閉塞位置にあるプランジャ部材７８を開放位置に復帰させるためにコイルスプリング等の付勢部材を装置内で所定の姿勢に保持するための座受部等が必要なくなると共に、付勢部材をシリンダ室６０等の装置内部に組み付ける作業も不要にできるので、プランジャ部材７８を開放位置に復帰させるためにコイルスプリング等を用いる従来の防振装置と比較し、装置の構成部品の形状及び構造を簡略化でき、さらに装置の組立作業（アセンブリ作業）も簡単になる、という効果を得られる。
【００８６】
なお、本実施形態に係る防振装置１０，１４０では、上部オリフィス部材４４の外周溝６６における主液室３６側を共用オリフィス部７０すると共に、副液室３８側を専用オリフィス部６８として、共用オリフィス部７０をシェイクオリフィス１１８及びアイドルオリフィス１２０で共用していたが、上部オリフィス部材４４にシェイクオリフィス１１８を形成する外周溝６６から分離された別の溝部を形成し、この別の溝部をアイドルオリフィス１２０の一部とするようにしても良い。
【００８７】
また防振装置１０，１４０では、２本のオリフィス（第１の制限通路及び第２の制限通路）の一方をシェイク振動に対応するシェイクオリフィス１１８とし、他方をアイドル振動に対応するアイドルオリフィス１２０としたが、２本の第１の制限通路及び第２の制限通路を必ずしもシェイク振動及びアイドル振動に対応させる必要はなく、第１の制限通路が相対的に低い周波域の振動に対応するものとなり、第２の制限通路が相対的に高い周波域の振動に対応するものとなれば良い。
【００８８】
また防振装置１０，１４０では、取付金具３０をエンジン側に連結すると共に、外筒１２，１４を車体側に連結するように構成したが、これとは逆に、取付金具３０を車体側に連結すると共に、外筒１２，１４をエンジン側に連結するようにしても良い。
【００８９】
また本実施形態に係る防振装置１０，１４０では、主液室３６内の液圧上昇時に逆止弁１１６を通して液体を主液室３６から液圧空間１３０内へ供給し、この液圧空間１３０内の液圧を主液室３６の液圧上限値に対応する平衡圧に上昇させ、シェイク振動の入力時に、液圧空間１３０の液圧（正圧）によりプランジャ部材７８を開放位置から閉塞位置へ移動させていたが、これとは逆に、逆止弁を液圧空間１３０から主液室３６へのみ液体が流出させ得るように構成し、主液室３６内の液圧低下時に、この逆止弁を通して液体を液圧空間１３０から主液室３６内へ流出させることにより、液圧空間１３０内の液圧を主液室３６の液圧下限値に対応する平衡圧まで低下させ、シェイク振動の入力時に、液圧空間１３０の液圧（負圧）によりプランジャ部材７８を開放位置から閉塞位置へ移動させるようにして良い。
【図面の簡単な説明】
【００９０】
【図１】本発明の第１の実施形態に係る防振装置の構成を示す軸方向に沿った断面図であり、プランジャ部材が開放位置にある状態を示している。
【図２】図１に示される防振装置の構成を示す軸方向に沿った断面図であり、プランジャ本体が閉塞位置にある状態を示している。
【図３】図１に示される防振装置における仕切金具及びプランジャ部材の構成を示す断面図であり、プランジャ部材が開放位置にある状態を示している。
【図４】図１に示される防振装置における仕切金具及びプランジャ部材の構成を示す断面図であり、プランジャ部材が閉塞位置にある状態を示している。
【図５】図１に示される防振装置における仕切金具及びプランジャ部材の構成を示す分解斜視図である。
【図６】本発明の第２の実施形態に係る防振装置の構成を示す軸方向に沿った断面図であり、プランジャ部材が開放位置にある状態を示している。
【図７】図６に示される防振装置の構成を示す軸方向に沿った断面図であり、プランジャ本体が閉塞位置にある状態を示している。
【図８】本発明の第２の実施形態に係る防振装置の構成を示す軸方向に沿った断面図である。
【符号の説明】
【００９１】
１０      防振装置
１２      上側外筒（第１の取付部品）
１４      下側外筒（第１の取付部品）
２６      ゴム弾性体（弾性体）
３０      取付金具（第２の取付部品）
３４      仕切金具（第２の取付部品）
３６      主液室
３８      副液室
４０      ダイヤフラム
６０      シリンダ室
６４      下段オリフィス通路
６６      外周溝
６８      専用オリフィス部
７０      共用オリフィス部
７６      オリフィス開口
７８      プランジャ部材
９４    頂板部（被吸着部）
１０６    弁体
１１２    液圧空間
１１４    オリフィス空間
１１６    逆止弁
１１８    シェイクオリフィス
１２０    アイドルオリフィス
１２８    固定側磁石（磁気付勢手段）
１２８Ｓ、１２８Ｎ  磁極面
１３０    固定側磁石（磁気付勢手段）
１３０Ｓ、１３０Ｎ  磁極面
１４０  防振装置
１４６  被吸着部
【図１】
2007120597.tif 000003
【図２】
2007120597.tif 000004
【図３】
2007120597.tif 000005
【図４】
2007120597.tif 000006
【図５】
2007120597.tif 000007
【図６】
2007120597.tif 000008
【図７】
2007120597.tif 000009
【図８】
2007120597.tif 000010